(57)【要約】      （修正有）【課題】通り魔的犯罪を効果的に防止できる緊急警報装置を提供する。【解決手段】緊急警報装置は、ハウジング１０と、警報音を発する発音体２０と、警報灯３０と、太陽電池４１とバッテリを含む自立電源と、制御部を含む回路基板と、始動ボタン６０と、停止スイッチとを具備する。ハウジングは、箱型であり、施錠機構１１を有する。始動ボタンは、発音体、及び警報灯の始動操作を受付ける。停止スイッチは、ハウジングの内部に配置され、発音体、及び警報灯の停止操作を受付ける。【選択図】図１
0003222934.tif 000002
【実用新案登録請求の範囲】
【請求項１】
施錠機構（１１）を有し、箱型のハウジング（１０）と、警報音を発する発音体（２０）と、警報灯（３０）と、自立電源（４０）と、制御部（５１）を含む回路基板（５０）と、前記発音体（２０）、及び前記警報灯（３０）の始動操作を受付ける始動ボタン（６０）と、前記ハウジング（１０）の内部に配置され、前記発音体（２０）、及び前記警報灯（３０）の停止操作を受付ける停止スイッチ（７０）とを具備する、緊急警報装置。
【請求項２】
前記自立電源（４０）は、太陽電池（４１）と、前記太陽電池（４１）から供給される電力を蓄電するバッテリ（４２）とを含む、請求項１に記載の緊急警報装置。
【請求項３】
前記自立電源（４０）は、乾電池が装着可能である電池装着部（４３）を含む、請求項１に記載の緊急警報装置。
【請求項４】
カメラ（８０）と、前記ハウジング（１０）の内部に配置され、前記カメラ（８０）の撮影データを記憶する記憶装置（９０）とを更に具備し、前記制御部（５１）は、前記始動ボタン（６０）が前記始動操作を受付けたときに、前記カメラ（８０）による撮影を開始する、請求項１から請求項３のいずれか一項に記載の緊急警報装置。
【請求項５】
カメラ撮影用の照明装置（１００）を更に具備し、前記制御部（５１）は、前記始動ボタン（６０）が前記始動操作を受付けたときに、前記照明装置（１００）を点灯する、請求項４に記載の緊急警報装置。
【請求項６】
前記発音体（２０）を保護する保護部（１１０）を更に具備する、請求項１から請求項５のいずれか一項に記載の緊急警報装置。
【考案の詳細な説明】
【技術分野】
【０００１】
本考案は、緊急警報装置に関し、特に、通り魔的犯罪を防止し、また、人命救助などの緊急通報に好適な緊急警報装置に関するものである。
【背景技術】
【０００２】
通り魔的犯罪を防止する防犯目的の緊急警報装置として、特許文献１には、リストバンドを備えた携帯型の緊急警報装置が記載されている。特許文献１に記載の緊急警報装置においては、本体からピンを引出すことによって警報音が発せられ、本体にピンを押込むことによって警報音が停止される。なお、このような緊急警報装置は、一人暮らしのお年寄り等の要救助者が、動けなくなったときに助けを呼ぶため等にも利用できる。
【先行技術文献】
【特許文献】
【０００３】
【特許文献１】特開２０１８−１６９６２９号公報
【考案の概要】
【考案が解決しようとする課題】
【０００４】
しかしながら、特許文献１に記載の緊急警報装置においては、警報音の開始と停止とがピンの操作によって簡単に行える。従って、身の危険を感じた被害者の操作によって警報音が発せられたとしても、加害者の操作によって警報音が停止されると、犯罪を効果的に防止できないことも考えられる。また、要救助者の操作によって警報音が発せられたときにも、要救助者が誤って警報音を停止してしまい、救助を効果的に行えないことも考えられる。
【０００５】
本考案は上記課題に鑑みてなされたものであり、その目的は、通り魔的犯罪を効果的に防止できるとともに、緊急救助を効果的に行うことができる緊急警報装置を提供することにある。
【課題を解決するための手段】
【０００６】
本願に開示する緊急警報装置は、ハウジング（１０）と、警報音を発する発音体（２０）と、警報灯（３０）と、自立電源（４０）と、回路基板（５０）と、始動ボタン（６０）と、停止スイッチ（７０）とを具備する。前記ハウジング（１０）は、施錠機構（１１）を有し、内部に回路基板（５０）等を収容する箱型である。前記回路基板（５０）は、制御部（５１）を含む。前記始動ボタン（６０）は、前記発音体（２０）、及び前記警報灯（３０）の始動操作を受付ける。前記停止スイッチ（７０）は、前記ハウジング（１０）の内部に配置され、前記発音体（２０）、及び前記警報灯（３０）の停止操作を受付ける。
【０００７】
本願に開示する緊急警報装置において、前記自立電源（４０）は、太陽電池（４１）と、バッテリ（４２）とを有する。前記バッテリ（４２）は、前記太陽電池（４１）から供給される電力を蓄電する。
【０００８】
本願に開示する緊急警報装置は、カメラ（８０）と、記憶装置（９０）とを更に具備する。前記記憶装置（９０）は、前記ハウジング（１０）の内部に配置され、前記カメラ（８０）の撮影データを記憶する。前記制御部（５１）は、前記始動ボタン（６０）が前記始動操作を受付けたときに、前記カメラ（８０）による撮影を開始する。
【０００９】
本願に開示する緊急警報装置は、カメラ撮影用の照明装置（１００）を更に具備する。前記制御部（５１）は、前記始動ボタン（６０）が前記始動操作を受付けたときに、前記照明装置（１００）を点灯する。
【００１０】
本願に開示する緊急警報装置は、前記発音体（２０）を保護する保護部（１１０）を更に具備する。
【００１１】
本願に開示する緊急警報装置において、前記自立電源（４０）は、乾電池が装着可能である電池装着部（４３）を含む。
【００１２】
また、本願に開示する緊急警報装置において、前記制御部（５１）は、前記始動ボタン（６０）が前記始動操作を受付けた後、所定時間（Ｔ１）が経過したときに、少なくとも前記発音体を停止することも好ましい。
【考案の効果】
【００１３】
本考案の緊急警報装置によれば、通り魔的犯罪を効果的に防止できるとともに、緊急救助を効果的に行うことができる。
【図面の簡単な説明】
【００１４】
【図１】本考案の実施形態に係る緊急警報装置を示す斜視図である。
【図２】図１の緊急警報装置の正面図である。
【図３】図１の緊急警報装置におけるハウジング内部を示す正面図である。
【考案を実施するための形態】
【００１５】
以下、本考案の実施形態に係る緊急警報装置を図面に基づいて詳しく説明する。なお、以下に説明する実施形態は、本考案を実施するのに好ましい具体例であるから、技術的に種々の限定がなされているが、本考案は、以下の説明において特に考案を限定する旨が明記されていない限り、この実施形態に限定されるものではない。
【００１６】
〈実施形態〉
図１〜図３を参照して、本考案の実施形態に係る緊急警報装置を説明する。図１は、本考案の実施形態に係る緊急警報装置を示す斜視図である。図２は、図１の緊急警報装置の正面図である。図３は、図１の緊急警報装置におけるハウジング内部を示す正面図である。
【００１７】
図１〜図３に示すように、実施形態に係る緊急警報装置は、ハウジング１０と、警報音を発する発音体２０と、警報灯３０と、自立電源４０と、回路基板５０と、始動ボタン６０と、停止スイッチ７０と、カメラ８０と、ＳＤカード等の記憶装置９０と、カメラ撮影用の照明装置１００とを具備する。カメラ８０は、動画の撮影機能を有する。照明装置１００は、例えばＬＥＤ（Ｌｉｇｈｔ  Ｅｍｉｔｔｉｎｇ  Ｄｉｏｄｅ：発光ダイオード）から構成される。
【００１８】
ハウジング１０は、施錠機構１１を有し、内部に回路基板５０を収納する箱型である。実施形態においては、ハウジング１０は、前面が開口している箱型のハウジング本体１０ａと、ハウジング本体１０ａの開口部を塞ぐ扉１０ｂとを有する。
【００１９】
ハウジング本体１０ａの下側面には、複数の脚１０ｃが設けられており、緊急警報装置は、通学路、バス停、要救助者の自宅等の適所に、簡易に設置可能であり、設置場所における設置工事を不要としたスタンドアローンとしても利用することができる。要救助者の例としては、一人暮らしのお年寄り、自力での移動が困難である重病者等が挙げられる。また、図３に示すように、扉１０ｂにおける内側面の周縁部には、パッキン１０ｄが取付けられており、扉１０ｂとハウジング本体１０ａの開口部との隙間が防水される。
【００２０】
また、図１、図２に示すように、ハウジング１０には、緊急警報装置の使用方法を示すメッセージが表示されていることが好ましい。図示例においては、「キケンと思ったらボタンをおして人をよんでね。」というメッセージが、扉１０ｂの表側面に表示されている。ハウジング１０に、使用方法を示すメッセージが表示されていることによって、小学校の児童や幼児であっても、緊急警報装置を適切に使用することができる。メッセージは、児童、幼児が理解できるように、直感的なものであることが好ましい。また、要救助者の自宅等に設置する場合には、「緊急の際にボタンをおしてください。」等の簡潔なメッセージが好ましい。
【００２１】
発音体２０は、実施形態においては、７０〜９０デシベル程度の音量を有するブザーから構成され、発音体２０の周囲には、パンチングメタル、金網等の複数の孔を有する保護部１１０が設けられている。
【００２２】
警報灯３０は、実施形態においては、赤色の回転灯から構成される。警報灯３０により、視覚的にも周囲の人に非常事態を知らせることができる。
【００２３】
自立電源４０は、実施形態においては、太陽電池４１と、バッテリ４２とを含む。太陽電池４１は、電線が設置可能な中空丸棒状の支持部４１ａによって、ハウジング１０に支持されている。バッテリ４２は、実施形態においては、密閉型鉛蓄電池等の充電池から構成され、太陽電池４１から供給される電力を蓄電する。
【００２４】
また、自立電源４０は、太陽電池４１と、バッテリ４２とに限らず、ハウジング１０の内部に乾電池を設置して使用するものであってもよい。すなわち、図１〜図３に示す緊急警報装置において、太陽電池４１及び支持部４１ａを設けず、バッテリ４２の代わりに電池ボックス等の電池装着部４３を設置し、電池装着部４３に所定数の乾電池を装着するようにしてもよい。
【００２５】
自立電源４０は、具体的には、電圧が１２ボルトになるように構成することが好ましい。また、自立電源４０に使用する電池の種類は、緊急警報装置の製造コスト、ランニングコスト、望ましい作動時間等の間のバランスを考えて決めることが好ましい。例えば、自立電源４０にバッテリ４２を使用するとき、バッテリ４２の定格容量が、１．０Ａｈ（５時間率）程度あれば、満充電状態で４〜５時間の作動時間を確保できる。一方、性能にもよるが、市販の乾電池であっても、例えば１．５ボルトの単３乾電池を８本程度使用すれば、３０分程度の作動時間を確保でき、十分な作動時間を確保できる。
【００２６】
また、単一乾電池を８本使用すれば、約６０分の作動時間が見込め、単二乾電池を８本使用すれば、約４０分の作動時間が見込め、単四乾電池を８本使用すれば、１５〜２０分の作動時間が見込める。また、９ボルトの積層電池であれば、自立電源４０に２個を使用し、３ボルトのリチウム電池であれば、自立電源４０に４個を使用し、それぞれ、６０〜８０分程度の作動時間を見込める。
【００２７】
回路基板５０は、制御部５１と、ソーラー端子５２と、バッテリ端子５３と、給電端子５４とを含む。制御部５１は、発音体２０、及び警報灯３０を制御するとともに、カメラ８０、記憶装置９０、及び照明装置１００を制御する。なお、記憶装置９０は、カメラ８０の制御部によって制御されてもよい。また、制御部５１は、太陽電池４１から供給される電力によって、バッテリ４２を充電する充電制御を行うとともに、発音体２０、警報灯３０、カメラ８０、及び照明装置１００に、バッテリ４２からの電力を供給する給電制御を行う。ソーラー端子５２は、太陽電池４１に通電可能に接続され、バッテリ端子５３は、バッテリ４２に通電可能に接続され、給電端子５４は、発音体２０、警報灯３０、カメラ８０、及び照明装置１００に通電可能に接続される。また、自立電源４０に乾電池を使用するとき、回路基板５０には、ソーラー端子５２を設ける必要がなく、除去可能であり、バッテリ端子５３は、電池装着部４３に通電可能に接続される。
【００２８】
始動ボタン６０は、回路基板５０に通電可能に接続され、扉１０ｂに設けられたボタン窓６１を介しハウジング１０の外側から操作可能であり、発音体２０、及び警報灯３０の始動操作を受付けるとともに、カメラ８０、及び照明装置１００の始動操作を受付ける。ボタン窓６１は、水の侵入を防ぐために、透明で破断容易な樹脂シートにより覆われている。始動ボタン６０が、ボタン窓６１を介し押下され、始動ボタン６０が始動操作を受付けると、制御部５１の制御によって、発音体２０が警報音の発生を開始し、警報灯３０が点灯されるとともに、カメラ８０による撮影が開始され、記憶装置９０による撮影データの記録が開始され、照明装置１００による照明が開始される。
【００２９】
停止スイッチ７０は、ハウジング１０の内部に配置され、発音体２０、及び警報灯３０の停止操作を受付けるとともに、カメラ８０、及び照明装置１００の停止操作を受付ける。すなわち、ハウジング１０の施錠機構１１が解錠され、扉１０ｂが開かれ、停止スイッチ７０が操作されると、制御部５１の制御によって、発音体２０、警報灯３０、カメラ８０、及び照明装置１００への給電が停止され、発音体２０、警報灯３０、カメラ８０、記憶装置９０、及び照明装置１００が停止される。
【００３０】
以上、図１〜図３を参照して説明したように、実施形態の緊急警報装置によれば、発音体２０、及び警報灯３０の停止操作を受付ける停止スイッチ７０が、施錠機構１１を有するハウジング１０の内部に配置されている。従って、一旦始動ボタン６０が押下されると、加害者によって始動ボタン６０が破壊されても、施錠機構１１が解錠され、停止スイッチ７０が操作されない限り、発音体２０による警報音の発生と、警報灯３０の点灯とが停止されず、犯罪の発覚を恐れる加害者を効果的に撃退することができ、通り魔的犯罪を効果的に防止できる。また、要救助者の操作によって警報音が発せられたときに、要救助者が誤って発音体２０及び警報灯３０を停止することを防止でき、救助をより確実に行える。
【００３１】
また、実施形態の緊急警報装置によれば、自立電源４０が、太陽電池４１と、バッテリ４２とを含む。従って、乾電池の交換等のメンテナンスにかかるコストを低減できるとともに、電池切れによる緊急警報装置の不作動を回避し、より確実に、通り魔的犯罪を防止できるとともに、救助をより確実に行うことができる。
【００３２】
また、他の実施形態によれば、自立電源４０は、乾電池が装着可能である電池装着部４３を含む。緊急警報装置の電源に乾電池を使用することによって、緊急警報装置の製造コストを低減できるとともに、太陽光の照射の有無にかかわらず緊急警報装置を使用でき、緊急警報装置が必要とされる様々な場所に緊急警報装置を設置できる。
【００３３】
また、実施形態の緊急警報装置によれば、カメラ８０が、緊急警報装置に備えられており、始動ボタン６０の操作によって、撮影を開始する。従って、通り魔的犯罪に及ぼうとする加害者を撮影することができ、状況の把握や加害者の特定を迅速に可能とし、事件の早期解決又は不審行動をより確実に罰することができ、再犯を効果的に防止することができる。また、要救助者の行動等を撮影することができる。また、停止スイッチ７０が操作されない限り、カメラ８０の撮影が継続されることによって、加害者及び犯罪行為や不審行動をより確実に撮影できる。また、照明装置１００が、緊急警報装置に備えられていることによって、暗所や夜間であっても、加害者及び犯罪行為を撮影できる。また、要救助者の行動等をより確実に撮影できる。
【００３４】
また、実施形態の緊急警報装置によれば、記憶装置９０が、ハウジング１０の内部に配置されている。従って、例えばハウジング１０のレンズ窓８１を介しカメラ８０が損傷されても、カメラ８０が損傷されるまでに撮影された映像を残すことができ、加害者及び犯罪行為をより確実に特定でき、再犯をより確実に防止できる。また、記録装置９０は、ハウジング１０の内部に位置するカメラ８０の後端部に取り出し可能に設けられることもできる。記録装置９０としては、ＨＤＤ（ハードディスクドライブ）、ＳＳＤ（ソリッドステートドライブ）、ＳＤカードなどを用いることができる。
【００３５】
また、実施形態の緊急警報装置によれば、発音体２０が、パンチングメタル、金網等の保護部１１０によって保護されており、加害者が、発音体２０を破壊しようとしても、容易に破壊できず、警報音をより長い時間にわたって発生できる。従って、犯罪の発覚を恐れる加害者をより効果的に撃退することができ、通り魔的犯罪をより確実に防止できる。また、要救助者が誤って緊急警報装置を転倒させたとき等にも発音体２０が破壊されることを防止できる。
【００３６】
次に、図３を参照して、本考案の他の実施形態を説明する。本実施形態の緊急警報装置においては、制御部５１は、始動ボタン６０が始動操作を受付けた後、所定時間Ｔ１が経過したときに、少なくとも発音体２０を停止する。所定時間Ｔ１は、５〜１０分程度であることが好ましい。
【００３７】
警報音が例えば５分程度鳴り続けた後に、発音体２０が自動的に停止されることによって、加害者を撃退する撃退効果を十分に発揮できるとともに、不必要に警報音が鳴り続けることを防止できる。なお、救助目的であれば、発音体２０が自動的に停止される機能は、緊急警報装置に設けない方が好ましい。所定時間Ｔ１が経過し、発音体２０が停止したときに、始動ボタン６０が操作されると、制御部５１によって、再度、発音体２０が警報音を発するように制御することも好ましい。
【００３８】
あるいは、始動ボタン６０が始動操作を受付けた後、所定時間Ｔ１が経過したときに、発音体２０、警報灯３０、カメラ８０、及び照明装置１００の全てを停止するものとしてもよい。発音体２０、警報灯３０、カメラ８０、及び照明装置１００の全てを停止すれば、例えば悪戯によって始動ボタン６０が操作されたときに、自立電源４０の電力と、記憶装置９０の容量が無駄に消費されることを防止できる。なお、救助目的であれば、上記機能は、緊急警報装置に設けない方が好ましい。
【００３９】
以上、図面（図１〜図３）を参照しながら本考案の実施形態を説明した。但し、本考案は、上記の実施形態に限られるものではなく、その要旨を逸脱しない範囲で種々の態様において実施することが可能である（例えば、下記（１））。
【００４０】
（１）上記実施形態においては、緊急警報装置にカメラ８０が１台だけ設けられているが、カメラ８０は１台に限らず、複数台設けることが可能であり、カメラ８０の台数に応じてハウジング１０の各面にレンズ窓８１を設けることもできる。例えば、カメラ８０を４台設けるのであれば、ハウジング１０の前面、背面、両側面にレンズ窓８１を設けることができ、緊急警報装置の設置の向きによらず、より確実に加害者等を撮影でき、より確実に、通り魔的犯罪、及びその再犯を防止できる。また、より確実に要救助者の行動等を撮影できる。
【符号の説明】
【００４１】
Ｔ１…所定時間
１０…ハウジング
１１…施錠機構
２０…発音体
３０…警報灯
４０…自立電源
４１…太陽電池
４２…バッテリ
５０…回路基板
５１…制御部
６０…始動ボタン
７０…停止スイッチ
８０…カメラ
９０…記憶装置
１００…照明装置
１１０…保護部
【図１】
0003222934.tif 000003
【図２】
0003222934.tif 000004
【図３】
0003222934.tif 000005